(57)【要約】      （修正有）【課題】  紙幣、有価証券、郵便切手、収入印紙、乗車券、当籤金付き証票等の真券が強盗、窃盗等により不正な手段により奪取された場合に、その真券が束ねられていたとしても迅速かつ確実に真券を汚染し、人の視覚的においても、また金銭自動両替機、自動販売機、自動改札機、自動番号読み取り装置等の機械においても各種センサによってそれらが不正手段により奪取された真券だと判る歴然とした証拠を長期にわたりその真券上に残すことができる真券汚染用インキの提供。【解決手段】  近赤外吸収剤、油脂、ドライヤー、石油系油、及び非水性の液状媒体を含有し染料もしくは顔料で着色された粘度1〜100CPS（２５℃）の非水性真券汚染用インキ。【選択図】なし【特許請求の範囲】
【請求項１】
近赤外吸収剤、油脂、ドライヤー、石油系油、及び非水性の液状媒体を含有し染料もしくは顔料で着色された粘度1〜100CPS（２５℃）の非水性真券汚染用インキ。
【発明の詳細な説明】
【技術分野】
【０００１】
本発明は、金融機関や郵便局、駅、宝くじ販売所等に設置される装置から不正な手段によって奪取された真券を汚染し使用出来なくするインキに関する。
【背景技術】
【０００２】
紙幣、有価証券、郵便切手、収入印紙、乗車券、当籤金付き証票等（以下、真券という）が、これらを取り扱う金融機関や郵便局、駅、宝くじ販売所等から強盗等によって不正に奪取されることがある。係る不正奪取行為を想定し、噴射器または容易に破壊し得る樹脂容器に、黄または橙などの目立つ色の蛍光染料を充填したものを上記金融機関等に予め用意しておき、実際の不正奪取行為の発生に際し、犯人又は真券に向けて前記噴射器の引き金を引いたり、前記容器を投げつけ容器を破壊したりして、蛍光染料を犯人又は真券に付着させ、犯人を容易に追跡できるようにする試みがなされている。しかし、犯人が追跡を振り切り逃げ失せてしまった事例も少なくなく、逃走に成功した場合には、不正に奪取された真券をそれ以外の真券から容易に識別できることが重要である。
【０００３】
従来、真券汚染に使用される蛍光染料は、いわゆる蛍光ペンと称する事務用途マーカー類の色と類似しているので、係る色彩が真券に付着していたとしても、その真券が直ちに不正手段によって奪取された真券であると認識することは容易ではなかった。また、真券汚染に使用される蛍光染料は、耐候性、耐薬品性に劣るので、汚染された真券を太陽光等に曝したり、アルカリ性溶液もしくは酸性溶液に浸漬したり等すると、色落ちしてしまい、もはやその真券が不正手段によって奪取された真券であると認識することができなくなってしまうという欠点があった。
【０００４】
また、現金自動支払預け払い機、金銭両替機、自動販売機等の普及している今日、前記金銭両替機等を悪用し、不正な手段による奪取の際に汚染された真券を汚染されていない真券等と交換したり、不正な手段による奪取の際に汚染された真券を用いて自動販売機で物品を購入することも十分に可能である。従って、人が目視で不正な手段によって奪取された真券であると認識できるだけでは不十分であり、機械的にも不正な手段によって奪取された真券であると識別できるようにすることが強く望まれている。
【０００５】
ところで、紙幣、有価証券、乗車券、当籤金付き証票等の真券は、印刷インキ、場合によっては磁気インキによる磁気処理によって、これら真券に似せてつくられた偽物（以下、偽造券という）との相違を磁気及び各種光学センサーで識別している。よって真券汚染用インキで真券を汚染し磁気及び光学特性を変化させることで不正に奪取された真券であることを識別することができる。
【０００６】
また、顔料は一般に蛍光染料に比してはるかに耐候性、耐薬品性に優れるので、不正に奪取された真券上に不正である旨の証拠を長期にわたって残すことができる。
【０００７】
しかし、これまでの真券汚染用インキは水を溶媒としているため付着端面で紙が膨潤して浸透が不十分であり、本来の性能を発揮できない場合が考えられる。
【０００８】
また、不正奪取行為の発生に際し真券汚染用インキはその収容部材から緊急かつ速やかに噴出し、真券に付着し、これを汚染する必要があるが、真券汚染用インキを高粘度化すると収容部材から緊急かつ速やかに噴出し難い。さらに、真券の表面若しくは端面に付着したとしても、速やかにその内部に浸透し難い。あるいは、不正奪取行為の発生に際し真券汚染用インキ中に真券を投入することによって真券を汚染することもでき、この場合は真券汚染用インキを噴出する場合に比して真券汚染用インキは高粘度であっても良いが、真券の表面若しくは端面に付着したとしても、速やかにその内部に浸透し難いという問題点を有している。即ち、磁性インキが真券の内部に浸透せず、単に表面や端面に付着しているだけでは、不正奪取行為の後に犯人等がその汚れを簡単に落とすことができ、その後は不正奪取行為により得られた真券であることを認識できなくなり、その真券の使用を防止できない。
【０００９】
従って、インキ収容部材から緊急かつ速やかにインキが噴出し得るように、また真券の内部に速やかに浸透し得るように、低粘度でありながら、格別の撹拌なしに、複数年の長きにわたり安定した分散状態を維持できるようにするために、さらに真券が紙等の浸透性の素材からなる場合には、汚染は単に表面層に留まることなく、その内部に至ることが重要であり、その浸透性確保のためには、粘度が1〜100CPS（２５℃）であることが望ましい。
【００１０】
また、前記金銭両替機等は、無人状況に設置されることが多いので、その安全性には細心の注意を払う必要がある。従って、その装置内部には静電気や落雷等によって引火し易い物質は収容しないことが望まれる。従って、真券汚染用インキとしては、水性であることが望まれる。
【００１１】
しかし、水性の真券汚染用インキを用いて、真券の「束」の端面から真券内部に汚染物質を迅速に浸透せしめることは極めて難しいという新たな問題を生じた。水性の真券汚染用インキを真券の「束」の端面に付着せしめると、真券自体が膨潤するためと思われるが、汚染用インキを付着せしめた側が極端に膨らんでしまい、真券内部に汚染物質がほとんど浸透しなくなってしまう。一般に紙幣等の真券は、その縁から10〜20mm程度内側に真贋識別用の磁気印刷が施されていることが多い。従って、汚染用インキは真券の「束」の端面からその内側に向かって20mm程度浸透することが要求されるが、水性の真券汚染用インキを用いると、真贋識別用の磁気印刷を十分に汚染する程には真券内部にインキが浸透しない。
【特許文献１】特開２００１−１０６９５４号公報
【発明の開示】
【発明が解決しようとする課題】
【００１２】
本発明は、長辺、短辺をそれぞれ揃え、積み重ね若しくは並べられた一種の「束」状態で真券を収容してなる真券収容装置内で格別の撹拌なしに、複数年の長きにわたり安定した分散状態を維持でき、静電気や落雷等によって引火し難いインキであって、真券が不正な手段により奪取される際に迅速かつ確実に真券の「束」の端面を汚染し得るインキであって、真券の「束」の端面を汚染せしめた後、速やかに真券内部に浸透し、真券が不正な手段により奪取された場合に、人の視覚においても、前記金銭両替機等の機械においてもそれらが不正手段により奪取された真券だと判る歴然とした証拠を長期にわたりその真券上に残し得る真券汚染用のインキを提供することを目的とし、さらに不正手段により奪取された真券の使用を不可能にすることを目的とする。
【課題を解決するための手段】
【００１３】
すなわち、本発明は、近赤外吸収剤、油脂、ドライヤー、石油系油、及び非水性の液状媒体を含有し染料もしくは顔料で着色された粘度1〜100CPS（２５℃）の非水性真券汚染用インキである。
【発明の効果】
【００１４】
本発明により、紙幣、有価証券、郵便切手、収入印紙、乗車券、当籤金付き証票等の真券が強盗、窃盗等により不正な手段により奪取された場合に、その真券が束ねられていたとしても迅速かつ確実に真券を汚染し、人の視覚的においても、また金銭自動両替機、自動販売機、自動改札機、自動番号読み取り装置等の機械においても各種センサによってそれらが不正手段により奪取された真券だと判る歴然とした証拠を長期にわたりその真券上に残すことができるようになった。そして、その証拠は、不正手段により奪取された真券の使用を不可能することができ、その結果犯罪行為自体を未然防止、抑制という効果を奏する。
【発明を実施するための最良の形態】
【００１５】
本発明の真券汚染用インキの詳細について説明する。油脂としてはオリーブ油、椿油、ひまし油等の不乾製油、大豆油、ナタネ油、サンフラワー油等の半乾性油、クルミ油、亜麻仁油、桐油等の乾製油があり、真券への浸透性についてはいずれも良好であるが、耐洗浄性についてはヨウ素価１３０以上の乾性油が良好であり、ドライヤーを併用することで初期の耐洗浄性が大幅に向上する。インキ中の油脂の添加量は1〜30％が好ましく、5〜20％がより好ましい。1%未満では耐洗浄性が劣り、30%を超えると粘度が高くなり浸透性が低下する。乾性油に併用するドライヤーは酸化型と重合型の2種類があり、どちらも酸化促進作用があるが、重合型が皮膜内部まで均一に乾燥し耐洗浄性は良好である。ドライヤーの添加量は乾性油の5〜20%が好ましく5%未満では十分な酸価効果が得られず、20%を超えると塗膜表面のみ乾燥し内部まで十分に酸価が達成されず耐洗浄性を発揮できない。酸化型のドライヤーとしてはオクチル酸コバルト、リノレン酸コバルト、樹脂酸コバルト等のコバルト化合物、オクチル酸マンガン、硼酸マンガン、リノレン酸マンガン、樹脂酸マンガン等のマンガン化合物が挙げられる。重合型のドライヤーとしてはオクチル酸鉛等の鉛化合物、オクチル酸亜鉛、ナフテン酸亜鉛等の亜鉛化合物、オクチル酸カルシウム、ナフテン酸カルシウム等のカルシウム化合物等が挙げられる。
【００１６】
近赤外吸収剤としては、ポリメチン系、ジイモニウム系、アミニウム系、シアニン系、ナフタロシアニン系、アントラキノン系、ピラジノシアニン系、アゾナフトール系、及び金属錯体系の化合物が挙げられ、シアニン系、フタロシアニン系、ナフタロシアニン系が好ましい。添加量については0.1〜10%が好ましく、1〜5％がより好ましい。0.1％より少ない場合は十分な近赤外吸収効果が得られず、10%を超えるとインキ粘度が上昇し浸透性が劣る。また、近赤外吸収剤の最大吸収波長は、750〜1500nmが好ましい。
【００１７】
石油系油としてはナフテン系（脂肪族系）、パラフィン系（脂環族系）、芳香族系があるが、芳香族系は発ガン性の指摘があり、パラフィン系は低温での流動性が劣ることからナフテン系の石油系油を使用するのが望ましい。石油系油の動粘度については1〜1000mm2／秒が好ましく、1〜100mm2／秒がより好ましい。添加量については5〜60％が好ましく、10〜40％がより好ましい。5%未満では浸透性が不十分であり、60％を超えると耐洗浄性が劣る。
【００１８】
本発明の真券汚染用インキは、非水性の溶剤を添加し粘度を下げることにより浸透性を向上させることが有効である。使用できる溶剤は引火し難いものであれば良く、引火点が70℃以上であることが好ましい。真券汚染用インキが極端に乾燥し易いと、真券汚染用インキが真券に付着後、真券の真贋識別用の磁気印刷層に到達する前に乾燥してしまい、目視及び機械での識別が困難である。更に、この非水性の液状媒体は、炭化水素系の液状媒体が好ましく、主として脂肪族系炭化水素を主成分とするものが好ましく、脂肪族系炭化水素には環を形成しているものも不飽和のものも含まれる。このような非水性の液状媒体としては、ｎ−ノナン（引火点：30℃、沸点：150.8 ℃）、ｎ−デカン（引火点：46.1℃、沸点：174.1 ℃）、ｎ−ドデカン（引火点：73.9℃、沸点：216.3 ℃）、デカリン（引火点：57.8℃、沸点：195.7 ℃）、ビシクロヘキシル（引火点：73.9℃、沸点：217 〜219 ℃(trans-trans) 、沸点：233 〜238 ℃(cis-cis) ）等が挙げられ、ケロシン（引火点：65〜85℃、沸点：175 〜325 ℃）等も例示できる。
【００１９】
このようにして作成された本発明の真券汚染用インキの粘度は、２５℃において１〜１００ＣＰＳであることが必要であり、さらに１０〜１００ＣＰＳであることが好ましい。粘度が１００ＣＰＳ（２５℃）を超えると、浸透性が低下する。
【００２０】
本発明の真券汚染用インキには、目視、機械での識別のため顔料若しくは染料が添加される。真券汚染用インキ中に含まれ得る顔料としては、分散安定性の点から０．１〜５μｍ程度の粒径を有するものが好ましく、また真券汚染用インキ中に含まれ得る染料としては酸やアルカリに強く容易には退色しないようなものが好ましい。
【００２１】
本発明の真券汚染用インキは、真券収容装置内に、真券を束ねて収容する部材と、不正な手段によって真券を奪取する行為を検知する機能を有する部材と共に収容され、前記検知部材が前記不正行為を検知した際に、真券の束の端面に向けて前記インキ収容部材から真券汚染用インキを出すか、又は前記インキ収容部材中の真券汚染用インキ中に真券の束の端面を投入し、真券を汚染する。
【００２２】
真券を束ねて収容する部材は、真券の長辺、短辺をそれぞれ揃え積み重ねた状態で真券を収容する部材であれば良く、紐、テープ、帯封等でくくってある必要はない。また、真券の束の端面は鉛直線方向上下向き若しくは下向きになるように収容されていても良いし、真券の束の端面がほぼ垂直になるよう収容されていても良い。
【００２３】
ここでいう「不正な手段によって真券を奪取する行為」とは、正当な権原なき者が行う、○ 真券収容装置自体を所定の設置場所から無理矢理に動かす行為、○ 真券収容装置をこじ開ける行為、○真券収容部材を真券収容装置から抜き出す行為、○ 真券収容部材をこじ開ける行為、○真券収容部材から真券を抜き出す行為、○ その他これに類する行為をいう。
【００２４】
また、ここでいう不正奪取行為を「検知する機能を有する部材」とは、機械的なスイッチ、振動センサー、静電容量変化検知センサー、傾き検出センサー等の種々のセンサーをいう。
【００２５】
不正奪取行為を検知した際に、インキ収容部材から真券汚染用インキを出し、真券の束の端面を汚染する機能を有する部材としては、単に前記収容部材を破壊し、インキが真券の束の端面に付着できるようにするだけの機能を有するものであってもよい。また、真券の束の端面の一の面を鉛直線方向上向きに収容してなる真券収容部材の天井部材とインキ収容部材の底部材とを共通にするように真券収容部材の上方にインキ収容部材を設置し、不正奪取行為を検知した際に、両部材の境界を形成している壁を破壊したり、引き抜いたりする機構を有するものであってもよい。あるいは、真券収容部材中の真券若しくは真券収容部材から抜き出されつつある真券の束の端面に向けて前記収容部材中のインキを噴射する機能を有する部材であってもよい。
【００２６】
不正奪取行為を検知した際に、インキ収容部材中の汚染用インキ中に真券の束の端面を投入し、真券の束の端面を汚染する機能を有する部材としては、例えば、真券の束の端面の一の面を鉛直線方向下向きに収容してなる真券収容部材の底部材とインキ収容部材の天井部材とを共通にするように真券収容部材の下方にインキ収容部材を設置し、不正奪取行為を検知した際に、両部材の境界を形成している壁を破壊したり、引き抜いたりする機構を有するものであってもよい。
【００２７】
インキ収容部材から真券汚染用インキを出す機構・手段は、真券の束の端面を的確に汚染し得るものであればよく、種々の機構・手段を選択し得る。また、積み重ねられた状態の真券の束の端面に汚染用インキを滴下、噴出等することによって真券を汚染してもよいし、積み重ねら若しくは並べられた状態で収容されている真券の束の端面を汚染用インキを収容している部材中に投入することによって真券を汚染してもよい。
【００２８】
[実施例１]
緑色顔料（商品名マイクロリスグリーンＧ−Ａ、チバスペシャルティーケミカルズ製）１０重量％、ジイミニウム系近赤外吸収剤（商品名カヤソーブIRG-023、日本化薬株式会社製、最大吸収波長1090nm）１重量％、亜麻仁油１５重量％、ナフテート亜鉛１重量％、ナフテン系石油系油４０重量％、イソホロン３３重量％を混合し、粘度１０ＣＰＳ（２５℃
）の真券汚染用インキを得た。得られた真券汚染用インキを、１０００円紙幣を１００枚束ね、束の端面に付着させたところ、紙幣の束の端面から紙幣内部に浸透するとともに、各紙幣表面に沿って端部から奥に向かって速やかに浸透した。束の最外面の紙幣、前記最外面の紙幣から束の内側に向かって１１、２１、３１、４１、５１枚目の紙幣を市中銀行の金銭両替機に挿入したが、真正な銀行券ではないと機械が判断し、すべて両替ができなかった。紙幣をそれぞれ市販のアルカリ性洗剤、酸性洗剤、染み抜き剤、灯油中を湿らせた脱脂綿で擦ったがインキ取られはなかった。
【００２９】
[実施例２]青色染料（商品名バリファストブルー２６０６、オリエント化学工業株式会社製）１０重量％、シアニン系近赤外吸収剤（商品名カヤソーブCY-10、日本化薬株式会社製、最大吸収波長781nm）２重量％、桐油２０重量％、ナフテート亜鉛２重量％、ナフテン系石油系油３８重量％、ブチルセルソルブ２８重量％を混合し、粘度５ＣＰＳの真券汚染用インキを得た。得られた真券汚染用インキを、１０００円紙幣を１００枚束ね、束の端面に付着させたところ、紙幣の束の端面から紙幣内部に浸透するとともに、各紙幣表面に沿って端部から奥に向かって速やかに浸透した。束の最外面の紙幣、前記最外面の紙幣から束の内側に向かって１１、２１、３１、４１、５１枚目の紙幣を市中銀行の金銭両替機に挿入したが、真正な銀行券ではないと機械が判断し、すべて両替ができなかった。紙幣をそれぞれ市販のアルカリ性洗剤、酸性洗剤、染み抜き剤、灯油中を湿らせた脱脂綿で擦ったがインキ取られはなかった。
【００３０】
[比較例１]緑色顔料（商品名マイクロリスグリーンＧ−Ａ、チバスペシャルティーケミカルズ製）１５重量％、亜麻仁油２５重量％、ナフテート亜鉛２％、ナフテン系石油系油５０重量％、イソホロン８重量％を混合し、粘度７００ＣＰＳの真券汚染用インキを得た。得られた真券汚染用インキを、１０００円紙幣を１００枚束ね、束の端面に付着させたところ、紙幣の束の端面のみ浸透したが束の内部にまで浸透しなかった。